(57)【要約】      （修正有）【課題】被撮影者が撮影ブース内で動いても、被撮影者の画像を画像ぶれ無く撮影する撮影システムを提供する。【解決手段】撮影システム１は、撮影ブース２０と、撮影ブース２０に設けられたカメラと、撮影ブース２０の下部フレーム２１に設けられた床面２５とを備え、下部フレーム２１と床面２５との間に防振装置２６を介在させることにより、撮影ブース内２０での被撮影者の動きによる振動のカメラへの影響を軽減させる。【選択図】図４
2017146411.tif 000002
【特許請求の範囲】
【請求項１】
下部フレームと、天井フレームと、側部フレームとを有する撮影ブースと、
前記側部フレームの一側に設置された撮影部と、
前記下部フレーム上に配置された床面とを備え、
前記下部フレームと前記床面との間に、防振装置を介在させたことを特徴とする撮影システム。
【請求項２】
前記防振装置は、矩形状をなす４点に配置された４個の防振部材を有することを特徴とする請求項１記載の撮影システム。
【請求項３】
前記床面は金属板からなることを特徴とする請求項１または２記載の撮影システム。
【請求項４】
前記撮影部は動画撮影カメラを含むことを特徴とする請求項１乃至３のいずれか記載の撮影システム。
【請求項５】
前記側部フレームの一側に対向する他側に、クロマキー処理用の背景を設けたことを特徴とする請求項１乃至４のいずれか記載の撮影システム。
【請求項６】
前記側部フレームと前記床面との間に、３ｍｍ以下の隙間が形成されていることを特徴とする請求項１乃至５のいずれか記載の撮影システム。
【発明の詳細な説明】
【技術分野】
【０００１】
本発明は、被撮影者を撮影する撮影システムに関する。
【背景技術】
【０００２】
従来、被撮影者を撮影する撮影システムが知られている。このような撮影システムは被撮影者が入る撮影ブースを有し、この撮影ブース内に撮影部（カメラ）と投光部とが設置されている。
【先行技術文献】
【特許文献】
【０００３】
【特許文献１】特開２００６−１０９３１３号公報
【発明の概要】
【発明が解決しようとする課題】
【０００４】
ところで、このような撮影システムでは、一般に撮像ブース内で静止する被撮影者の静止画像を入手しているが、撮影ブース内で被撮影者が動き、この状態で被撮影者の動画を入手し、この動画から適切な静止画像を生成する撮影システムが開発されている。
【０００５】
このような撮影システムでは、撮影ブース内で被撮影者が激しく動くため、この動きが振動としてカメラに伝わることがある。この場合はカメラとして手ぶれ補正機能をもったカメラを用いる必要があり、また手ぶれ補正機能付きカメラを用いても、精度良く動画を入手することができないことがある。
【０００６】
本発明はこのような点を考慮してなされたものであり、精度良く被撮影者の画像を入手することができる撮影システムを提供することを目的とする。
【課題を解決するための手段】
【０００７】
本発明は、下部フレームと、天井フレームと、側部フレームとを有する撮影ブースと、前記側部フレームの一側に設置された撮影部と、前記下部フレーム上に配置された床面とを備え、前記下部フレームと前記床面との間に、防振装置を介在させたことを特徴とする撮影システムである。
【０００８】
本発明は、前記防振装置は、矩形状をなす４点に配置された４個の防振部材を有することを特徴とする撮影システムである。
【０００９】
本発明は、前記床面は金属板からなることを特徴とする撮影システムである。
【００１０】
本発明は、前記撮影部は動画撮影カメラを含むことを特徴とする撮影システムである。
【００１１】
本発明は、前記側部フレームの一側に対向する他側に、クロマキー処理用の背景を設けたことを特徴とする撮影システムである。
【００１２】
本発明は、前記側部フレームと前記床面との間に、３ｍｍ以下の隙間が形成されていることを特徴とする撮影システムである。
【発明の効果】
【００１３】
本発明によれば、撮影ブース内で被撮影者が動いても、被撮影者の画像を精度良く入手することができる。
【図面の簡単な説明】
【００１４】
【図１】図１は本実施の形態による撮影システムの外観を示す図。
【図２】図２は撮影システムの機能的構成を示すブロック図。
【図３】図３は撮影システムの顔画像撮影処理を示すフローチャート。
【図４】図４は撮影システムの防振装置を示す図。
【図５】図５は下部フレームと床面と防振装置の関係を示す側面図。
【発明を実施するための形態】
【００１５】
以下、図面を参照して本発明の実施の形態について説明する。  
図１乃至図５は本発明による撮影システムの一実施の形態を示す図である。
【００１６】
図１乃至図５に示すように、撮影システム１は、下部フレーム２１と、天井フレーム２２と、側部フレーム２３とを有する撮影ブース２０と、撮影ブース２０の側部フレーム２３の一側に設置されたカメラ（撮影部）１２および投光部３４と、下部フレーム２１上に配置された金属板からなる床面２５とを備えている。
【００１７】
また下部フレーム２１と床面２５との間には４個の防振部材２７からなる防振装置２６が介在されている。
【００１８】
各防振部材２７は下部フレーム２１と床面２５との間に４個所設けられ、この４つの防振部材２７は平面上矩形状を形成するよう配置されている。
【００１９】
また各防振部材２７は、弾性材、または、ゴム製の防振ゴム２７ａと、防振ゴム２７ａの上下に取付けられた非弾性材、または、金属製のフランジ２７ｂ，２７ｂとを有している。また各防振部材２７は、下方のフランジ２７ｂを下部フレーム２１にボルト２７ｃにより連結し、上方のフランジ２７ｂを金属板からなる床面２５にボルト２７ｃにより連結することにより下部フレーム２１と床面２５に固定されている。ここで防振ゴム２７ａの固有振動数は、シャッタースピード未満（例えば、シャッタースピードが１／６０秒の場合は６０Ｈｚ未満）となっている。
【００２０】
上述のように撮影ブース２０の側部フレーム２３の一側には、カメラ１２および投光部３４が設置され、側部フレーム２３の一側に対向する他側には、入手した画像から顔画像のみを切り抜くクロマキー処理用の背景が設けられている。この場合、クロマキー処理用の背景としては緑色の背景板を用いることができる。
【００２１】
また撮影ブース２０の側部フレーム２３の一側には、投光部３４の下方に表示装置１５が設けられ、さらに表示装置１５の下方に入力装置１４と、検知センサ１３と、キャッシャー３３とが上方から下方に向かって順次配置されている。
【００２２】
また撮影ブース２０の側部フレーム２３の外面には、プリンタ１７の取出口１７ａが設けられている。
【００２３】
さらに撮影ブース２０内には、制御部１１、記憶部１６、プリンタ１７、Ｉ／Ｏ（Input/Output）ユニット３１、スピーカ３２が内蔵され、このうち制御部１１により画像処理装置１１Ａが構成される。
【００２４】
なお、上述したカメラ１２は被撮影者Ｐの動画を撮影するための動画カメラであり、撮影ブース２０内で被撮影者Ｐが動いた際に、被撮影者Ｐの動画を得るようになっている。
【００２５】
被撮影者Ｐは撮影ブース２０内において、床面２５上に立って、床面２５上で飛んだり跳ねたりしながら動くことになる。この場合、床面２５は防振装置２６を介して下部フレーム２１に支持されているので、被撮影者Ｐが床面２５上で動いても、床面２５の振動が下部フレーム２１側に伝わることを防止することができ、このことにより被撮影者Ｐの動きによりカメラ１２が振動することはない。
【００２６】
なお、床面２５上で被撮影者Ｐが動いた場合、床面２５も水平方向に振動するが、床面２５と側部フレーム２３との間に３ｍｍ程度の隙間Ｇが形成されているため、床面２５が側部フレーム２３に当接することはない。
【００２７】
図２に示すように、制御部１１は、ＣＰＵ（Central Processing Unit）、ＲＡＭ（Random Access Memory）から構成され、記憶部１６に格納されているシステムプログラムや顔画像撮影処理プログラム、画像処理プログラム等の各種プログラムを読み出してＲＡＭに展開し、当該プログラムに従って各部の動作を集中制御する。
【００２８】
カメラ１２は、光学レンズ、ＣＣＤ（Charge Coupled Device）等の光学センサ、Ａ／Ｄ（Analog/Digital）変換部等から構成され、撮影時には光学レンズを介して入力される被写体像を光学センサにより光電変換して画像信号（アナログ）を生成する。そして、Ａ／Ｄ変換部によりアナログ画像信号からデジタル画像データを得て、当該デジタル画像データを制御部１１に出力する。
【００２９】
検知センサ１３は、画像処理装置１の撮影室内に被撮影者Ｐが入室したことを検知する光学センサ等であり、その検知信号を制御部１１に出力する。
【００３０】
入力装置１４は、表示装置１５と一体に構成されるタッチパネルや、写真種類を選択するための写真種選択スイッチ（以下、ＳＷ）、撮影開始を指示するための撮影ＳＷ、撮影画像のプリント出力を指示するためのプリントＳＷ等の各種機能キーを備えて構成され、操作されたキーに対応する操作信号を制御部１１に出力する。
【００３１】
表示装置１５は、ＬＣＤ（Liquid Crystal Display）等を備えて構成され、制御部１１からの制御信号に従って、撮影手順を説明するガイド画面、写真種類を選択するための選択画面等の各種操作画面や、カメラ１２により撮影された被撮影者Ｐの顔画像等を表示する。
【００３２】
記憶部１６は、システムプログラムの他、顔画像撮影処理プログラム、画像処理プログラム等の各種処理プログラム及び各プログラムで処理されたデータ等を記憶する。
【００３３】
プリンタ１７は、制御部１１から入力された画像データに基づいてプリント出力を行う。プリンタ１７のプリント方式としては、色材を昇華、転移させて画像を形成する昇華型転写方式が適用されている。しかしながら、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００３４】
Ｉ／Ｏユニット３１は、制御部１１と、スピーカ３２、キャッシャー３３、投光部３４との間で情報のやり取りを仲介するインターフェイスであり、制御部１１からの制御信号をスピーカ３２、キャッシャー３３、投光部３４に送信するとともに、スピーカ３２、キャッシャー３３、投光部３４からの信号等を制御部１１に出力する。
【００３５】
スピーカ３２は、Ｉ／Ｏユニット３１を介して制御部１１から入力されるガイド用アナウンスの音声信号を出力する。
【００３６】
キャッシャー３３は、硬貨や紙幣の入金口、釣銭の返金口等を備えた金銭登録機である。キャッシャー３３は、入金口から入金された金額を検出して釣銭の金額を算出し、算出された釣銭金額分の硬貨又は紙幣を返金口に排出して料金精算を行う。
【００３７】
投光部３４は、制御部１１から指示された発光タイミング、発光量で発光を行う。
【００３８】
次にこのような構成からなる本実施の形態の作用について図３により説明する。  
まず被撮影者Ｐが撮影ブース２０内に入ると、検知センサ１３により被撮影者Ｐが検出される（ステップＳ１；ＹＥＳ）。このとき、表示装置１５上にガイド画面が表示される（ステップＳ２）。同時にスピーカ３２から撮影ガイドに係るアナウンス音声が出力される。
【００３９】
次いで、キャッシャー３３へ、料金が投入され（ステップＳ３；ＹＥＳ）、キャッシャー３３において入金された金額のチェックが行われ（ステップＳ４）、表示装置１５上に写真種類を選択するための選択画面が表示される。そして、この選択画面において所望の写真種類に応じた写真種選択スイッチが押下され（ステップＳ５；ＹＥＳ）、キャッシャー２３において選択された写真種類に応じた料金の精算が行われ、釣銭が返金口に排出される（ステップＳ６）。
【００４０】
料金精算が行われると、表示装置１５上には撮影ガイド画面が表示され、所望のタイミングで撮影ＳＷを押下するようガイダンスが行われる。
【００４１】
このとき、表示装置１５上の撮影ガイドには、被撮影者Ｐに対して、撮影ブース２０の床面２５上で動くようガイダンスも行われる。被撮影者Ｐは撮影ＳＷを押下し、床面２５上で飛んだり跳ねたりして動くことができる（ステップＳ７；ＹＥＳ）。
【００４２】
次にカメラ１２および投光部３４が制御され、カメラ１２により床面２５上で動く被撮影者Ｐの動画が撮影される（ステップＳ８）。
【００４３】
この場合、撮影ブース２０の床面２５で被撮影者Ｐが動いても、撮影ブース２０の下部フレーム２１と床面２５との間に防振装置２６が介在されているため、カメラ１２が振動することなく、カメラ１２により被撮影者Ｐを撮影して被撮影者Ｐの動画を精度良く得ることができる。
【００４４】
撮影後、記憶部１６に記憶されている画像処理プログラムが読み出され、制御部１１において撮影によりカメラ１２から入力された画像データに対して画像処理が施される（ステップＳ９）。
【００４５】
このときカメラ１２から入力された画像データは、動画、すなわち複数の連写静止画像を含む。次にこれらの連写静止画像が表示装置１５上に表示され、被撮影者Ｐは表示装置１５上で複数の連写静止画像の中から最適な静止画像を選択する。
【００４６】
このとき選択された静止画像は、静止画像に対して顔画像のみを切り抜くクロマキー処理が施された顔画像となる。次に制御部１１は、切り抜かれた被撮影者Ｐの顔画像に加え、所望の背景を追加する画像処理を行い、画像処理済みの画像データを得る。
【００４７】
画像処理が終了すると、画像処理済みの画像データがプリンタ１７に出力され、プリンタ１７により被撮影者Ｐを撮影した写真のプリント出力が行われる（ステップＳ１０）。写真プリントが取出口１７ａに排出される（ステップＳ１１）。
【００４８】
以上のように本実施の形態によれば、被撮影者Ｐは撮影ブース２０内において、床面２５上で飛んだり跳ねたりしながら動く間、カメラ１２により被撮影者Ｐを撮影して被撮影者Ｐの画像を入力する。この場合、床面２５は防振装置２６を介して下部フレーム２１により支持されるため、被撮影者Ｐが床面２５上で動いても、床面２５からの振動が撮影ブース２０のカメラ１２に伝わることはない。このためカメラ１２として高価な手ぶれ補正機能付きカメラを用いる必要はなく、かつカメラ１２が振動することによりカメラ１２と被撮影者Ｐとの撮影角度が変化してしまうこともない。このことにより安価なカメラ１２を用いて被撮影者Ｐの画像を精度良く入手することができる。
【符号の説明】
【００４９】
１  撮影システム
１１  制御部
１２  カメラ
１３  検知センサ
１４  入力装置
１５  表示装置
１６  記憶部
１７  プリンタ
１７ａ  取出口
２０  撮影ブース
２１  下部フレーム
２２  天井フレーム
２３  側部フレーム
２６  防振装置
２７  防振部材
２７ａ  防振ゴム
３１  Ｉ／Ｏユニット
３２  スピーカ
３３  キャッシャー
３４  投光部
【図１】
2017146411.tif 000003
【図２】
2017146411.tif 000004
【図３】
2017146411.tif 000005
【図４】
2017146411.tif 000006
【図５】
2017146411.tif 000007